(57)【要約】  移動端末の電力消費を減少する方法を開示している。一種のマルチキャストサービスに対応する任意の一つのマルチキャストサービスマッピング情報要素（ＭＢＳ＿ＭＡＰ＿ＩＥ）を設定し、当該マルチキャストサービスに対応する次のＭＢＳ＿ＭＡＰ＿ＩＥのフレーム位置を指示し、基地局がＭＢＳ＿ＭＡＰ＿ＩＥ及び対応するマルチキャストサービスデータを移動端末に送信し、移動端末が受信されたＭＢＳ＿ＭＡＰ＿ＩＥに基づいてマルチキャストサービスデータを受信し、且つ当該ＭＢＳ＿ＭＡＰ＿ＩＥによって指示される次のＭＢＳ＿ＭＡＰ＿ＩＥのフレーム位置に基づいて、それ自身のスリープ時間の長さを設定し、移動端末が、スリープ時間の長さを過ぎた後に、前記次のＭＢＳ＿ＭＡＰ＿ＩＥを受信して得て、前記次のＭＢＳ＿ＭＡＰ＿ＩＥに基づいて対応するマルチキャストサービスデータを受信することを含む。【特許請求の範囲】
【請求項１】
移動端末の電力消費を減少する方法であって、
一種のマルチキャストサービスに対応する任意の一つのマルチキャストサービスマッピング情報要素を設定し、当該マルチキャストサービスに対応する次のマルチキャストサービスマッピング情報要素のフレーム位置を指示するステップＡと、
基地局がマルチキャストサービスマッピング情報要素及び対応するマルチキャストサービスデータを移動端末に送信するステップＢと、
移動端末が、受信されたマルチキャストサービスマッピング情報要素に基づいてマルチキャストサービスデータを受信し、且つ当該マルチキャストサービスマッピング情報要素によって指示される次のマルチキャストサービスマッピング情報要素のフレーム位置に基づいて、それ自身のスリープ時間の長さを設定するステップＣと、
移動端末が、スリープ時間の長さを過ぎた後、前記次のマルチキャストサービスマッピング情報要素を受信して得て、前記次のマルチキャストサービスマッピング情報要素に基づいて対応するマルチキャストサービスデータを受信するステップＤと、を含む、
ことを特徴とする方法。
【請求項２】
前記ステップＡは、一種のマルチキャストサービスに対応する任意の一つのマルチキャストサービスマッピング情報要素にフレームオフセットパラメーターを設定し、当該フレームオフセットパラメーターは、当該任意の一つのマルチキャストサービスマッピング情報要素に対する当該マルチキャストサービスに対応する次のマルチキャストサービスマッピング情報要素のフレームオフセットを指示することを含み、
ステップＢにおいて、前記基地局がマルチキャストサービスマッピング情報要素を移動端末に送信するステップは、基地局がフレームオフセットパラメーターの値をマルチキャストサービスマッピング情報要素に付加して移動端末に送信することを含み、
ステップＣにおいて、前記移動端末が次のマルチキャストサービスマッピング情報要素のフレーム位置に基づいてそれ自身のスリープ時間の長さを設定するステップは、移動端末が、受信されたマルチキャストサービスマッピング情報要素中のフレーム位置パラメーターの値を取得し、当該フレーム位置パラメーターの値の対応する時間の長さをそれ自身のスリープ時間の長さに設定することを含む、
ことを特徴とする請求項１に記載の方法。
【請求項３】
前記マルチキャストサービスマッピング情報要素がダウンリンクメッセージに付けられて移動端末に送信され、前記ダウンリンクメッセージがダウンリンクリソース割当メッセージ又は自己定義のメッセージであり、ステップＤにおいて、前記移動端末が次のマルチキャストサービスマッピング情報要素を受信するステップは、移動端末が前記次のマルチキャストサービスマッピング情報要素が付けられているダウンリンクメッセージを受信し、ダウンリンクメッセージに付けられている、情報要素タイプと情報要素長さを指示するパラメーターに基づいて当該ダウンリンクメッセージから前記次のマルチキャストサービスマッピング情報要素を取得することを含む、
ことを特徴とする請求項２に記載の方法。
【請求項４】
前記ダウンリンクメッセージがダウンリンクリソース割当メッセージであり、
前記移動端末が次のマルチキャストサービスマッピング情報要素を取得するステップは、移動端末が、ダウンリンクリソース割当メッセージに対して解析を行って、一つの情報要素に対応するダウンリンクチャネル間隔識別コードが１５であり、且つ当該情報要素の対応する拡張されたダウンリンクチャネル間隔識別子コードの値が０ｘ００であることを解析して得た場合、当該情報要素が前記次のマルチキャストサービスマッピング情報要素であると決定し、且つ当該決定された情報要素中の情報要素長さパラメーターに基づいて当該次のマルチキャストサービスマッピング情報要素を取得することを含む、
ことを特徴とする請求項３に記載の方法。
【請求項５】
前記ステップＡにおいて、一種のマルチキャストサービスに対応する任意の一つのマルチキャストサービスマッピング情報要素に、シンボルオフセットパラメーターと情報要素長さパラメーターを設定することをさらに含み、ここで、シンボルオフセットパラメーターは当該マルチキャストサービスに対応する次のマルチキャストサービスマッピング情報要素がその所在フレーム内でフレームヘッダに対するシンボルオフセットを指示し、情報要素長さパラメーターは当該マルチキャストサービスに対応する次のマルチキャストサービスマッピング情報要素の実際的な長さを指示し、
ステップＢにおいて、前記基地局がマルチキャストサービスマッピング情報要素を移動端末に送信するステップは、基地局がシンボルオフセットパラメーターの値と情報要素長さパラメーターの値とをマルチキャストサービスマッピング情報要素に付けて移動端末に送信することを更に含み、
前記ステップＣにおいて、移動端末が受信されたマルチキャストサービスマッピング情報要素中のシンボルオフセットパラメーターの値と情報要素長さパラメーターの値とを取得することを更に含み、
ステップＤにおいて、前記移動端末が次のマルチキャストサービスマッピング情報要素を受信するステップは、移動端末が取得されたシンボルオフセットパラメーターの値と情報要素長さパラメーターの値とに基づいて前記次のマルチキャストサービスマッピング情報要素を受信して取得することを含む、
ことを特徴とする請求項２に記載の方法。
【請求項６】
前記ステップＣにおいて、移動端末が受信されたマルチキャストサービスマッピング情報要素中でマルチキャストサービスデータ長さを指示するパラメーターの値を取得し、取得した情報要素長さパラメーターの対応する時間の長さと、当該マルチキャストサービスデータ長さを指示するパラメーターの値の対応する時間の長さとに基づいてモニター時間の長さを設定することを更に含み、
ステップＤにおいて、移動端末は設定されたモニター時間の長さ内で前記次のマルチキャストサービスマッピング情報要素とマルチキャストサービスデータとを受信する、
ことを特徴とする請求項５に記載の方法。
【請求項７】
前記ステップＡにおいて、一種のマルチキャストサービスに対応する任意の一つのマルチキャストサービスマッピング情報要素に、マルチキャストサービスマッピング情報要素のみに基づいてマルチキャストサービスリソースを取得することを移動端末に指示するパラメーターを設定することを更に含み、
ステップＣにおいて、前記移動端末がマルチキャストサービスマッピング情報要素に基づいてマルチキャストサービスデータを受信するステップは、移動端末はマルチキャストサービスマッピング情報要素中で、マルチキャストサービスマッピング情報要素のみに基づいてマルチキャストサービスリソースを取得することを移動端末に指示するパラメーターに基づいて、マルチキャストサービスマッピング情報要素からマルチキャストサービスデータのシンボルオフセット位置と、サブチャネルオフセット位置と、占用したＯＦＤＭＡシンボル数と、占用したサブチャネルの本数とを解析して得て、マルチキャストサービスデータを受信することを含む、
ことを特徴とする請求項１〜６のいずれか１項に記載の方法。
【請求項８】
前記マルチキャストサービスマッピング情報要素のみに基づいてマルチキャストサービスリソースを取得することを移動端末に指示するパラメーターを設定するステップは、
マルチキャストサービスマッピング情報要素中で後続するマルチキャストサービスマッピングメッセージのフレーム位置を指示する必要があるように定義された元のパラメーターを、改めて次のマルチキャストサービスマッピング情報要素受信位置を指示する必要があるように定義することを含む、
ことを特徴とする請求項７に記載の方法。
【請求項９】
前記マルチキャストサービスマッピング情報要素のみに基づいてマルチキャストサービスリソースを取得することを移動端末に指示するパラメーターを設定するステップは、マルチキャストサービスマッピング情報要素に一つの自己定義のパラメーターを増加し、当該自己定義のパラメーターは次のマルチキャストサービスマッピング情報要素の受信位置を指示する必要があるように定義されることを含む、
ことを特徴とする請求項７に記載の方法。
【請求項１０】
前記ステップＡにおいて、一種のマルチキャストサービスに対応する任意の一つのマルチキャストサービスマッピング情報要素中で、後続するマルチキャストサービスマッピングメッセージのフレーム位置とシンボル位置とを指示するパラメーターを削除することを更に含む、
ことを特徴とする請求項１に記載の方法。
【請求項１１】
ステップＣにおいて、前記それ自身のスリープ時間の長さを設定することは、移動端末がそれ自身の、データを受信する必要がないスリープウィンドウの長さ期限を設定することを含み、
ステップＤにおける前記スリープ時間の長さを過ぎた後は、スリープウィンドウの期限が終わった後を含む、
ことを特徴とする請求項１に記載の方法。
【発明の詳細な説明】
【技術分野】
【０００１】
本発明は移動通信技術に関し、特にマルチキャストブロードキャストサービスにおいて移動端末の電力消費を減少する方法に関する。
【背景技術】
【０００２】
マルチキャストブロードキャストサービス（ＭＢＳ：Ｍｕｌｔｉｃａｓｔ  ａｎｄ  Ｂｒｏａｄｃａｓｔ  Ｓｅｒｖｉｃｅ）では、移動ネットワークにおいてネットワーク側の一つのデータソースから複数の移動端末へデータを送信するポイントツーマルチポイントのサービス標準を提供し、ネットワークリソースの共有を実現して、ネットワークリソースの利用率を高め、とりわけ無線インターフェースリソースの利用率を高めている。また、ＭＢＳサービスではプレーンテキストかつ低いレートのメッセージタイプのマルチキャストとブロードキャストを実現できるだけでなく、高速なマルチメディアサービスのマルチキャストとブロードキャストも実現できて、未来のモバイルデータ発展の動向に順応されているため、発展の展望が広い。
【０００３】
ＭＢＳサービスにおいて、移動端末の電力消費を減少するため、移動端末のスリープモード（ｓｌｅｅｐ  ｍｏｄｅ）が提案された。移動端末は基地局と予め約束したスリープ時間の長さ内にスリープ状態にあり、無線インターフェースは基地局との連絡を一時中断し、いかなるサービス情報の送受信もしなく、基地局と予め約束したモニター時間の長さのみにモニター状態にあり、マルチキャストサービスデータを正常に受信する。以上からわかるように、移動端末のスリープモードにより、移動端末のアップリンクとダウンリンク上の伝送要求を低減することができ、これにより、移動端末の電力消費が減少される。
【０００４】
ＭＢＳサービスにおいて、移動端末がスリープモードにある場合、移動端末はノンマクロダイバーシチ（ｎｏｎ−ｍａｃｒｏ  ｄｉｖｅｒｓｉｔｙ）方式によりマルチキャストサービスデータを受信することができる。ノンマクロダイバーシチ方式において、移動端末にマルチキャストサービスデータを正確に受信できるようにするため、基地局は移動端末にマルチキャストサービスデータを送信するフレームの時刻で、同時に移動端末にマルチキャストサービスマッピング情報要素（ＭＢＳ＿ＭＡＰ＿ＩＥ）の付けられているダウンリンクリソース割当（ＤＬ＿ＭＡＰ）メッセージを送信する。ここで、ＭＢＳ＿ＭＡＰ＿ＩＥのフォーマットは表１に示すように参照してよい。
【０００５】
【表１Ａ】
2008541582.tif 000002
【表１Ｂ】
2008541582.tif 000003
【表１Ｃ】
2008541582.tif 000004
【表１Ｄ】
2008541582.tif 000005
【表１Ｅ】
2008541582.tif 000006
【０００６】
表１を参照して、移動端末においてスリープモードを採用し且つノンマクロダイバーシチ方式によりマルチキャストサービスデータを受信する場合、基地局から移動端末へ送信するＭＢＳ＿ＭＡＰ＿ＩＥには具体的なマルチキャストサービスリソースを指示するためのパラメーターＯＦＤＭＡ  Ｓｙｍｂｏｌ  Ｏｆｆｓｅｔ  とＳｕｂｃｈａｎｎｅｌ  ｏｆｆｓｅｔが付けられている。ここで、パラメーターＯＦＤＭＡ  Ｓｙｍｂｏｌ  Ｏｆｆｓｅｔ  は今回マルチキャストサービスデータの本データフレーム内のシンボルオフセット位置を指示し、パラメーターＳｕｂｃｈａｎｎｅｌ  ｏｆｆｓｅｔは今回マルチキャストサービスデータの本データフレーム内のサブチャネルのオフセット位置を指示し、パラメーターＮＯ．ＯＦＤＭＡ  Ｓｙｍｂｏｌｓは今回マルチキャストサービスが占用したシンボル数を指示し、パラメーターＮＯ．  Ｓｕｂｃｈａｎｎｅｌｓは今回マルチキャストサービスが占用したサブチャネルの本数を指示する。こうして、移動端末はパラメーターＯＦＤＭＡ  Ｓｙｍｂｏｌ  Ｏｆｆｓｅｔと、Ｓｕｂｃｈａｎｎｅｌ  ｏｆｆｓｅｔと、ＮＯ．ＯＦＤＭＡ  Ｓｙｍｂｏｌｓと、ＮＯ．  Ｓｕｂｃｈａｎｎｅｌｓに基づいて、今回マルチキャストサービスリソースを取得し、今回マルチキャストサービスデータを正確に受信することができる。
【０００７】
表１を参照して、移動端末がスリープモードを採用し且つノンマクロダイバーシチ方式によりマルチキャストサービスデータを受信する場合、基地局から移動端末へ送信するＭＢＳ＿ＭＡＰ＿ＩＥには、また移動端末がスリープモードを採用し且つ後続するマルチキャストサービスマッピング（ＭＢＳ＿ＭＡＰ）メッセージのフレーム位置を指示する必要があることを表すためのパラメーターＳＬＣ＿３＿ｉｎｄｉｃａｔｉｏｎ＝１が付けられている。かつ、ＭＢＳ＿ＭＡＰ＿ＩＥには、後続するＭＢＳ＿ＭＡＰメッセージの受信位置を指示するためのパラメーターＮｅｘｔ  ＭＢＳ  ｆｒａｍｅ  ｏｆｆｓｅｔとＮｅｘｔ  ＭＢＳ  ＯＦＤＭＡ  Ｓｙｍｂｏｌ  ｏｆｆｓｅｔが相応に付けられている。ここで、パラメーターＮｅｘｔ  ＭＢＳ  ｆｒａｍｅ  ｏｆｆｓｅｔは後続するＭＢＳ＿ＭＡＰメッセージの本データフレームに対するフレームオフセットを指示し、パラメーターＮｅｘｔ  ＭＢＳ  ＯＦＤＭＡ  Ｓｙｍｂｏｌ  ｏｆｆｓｅｔは後続するＭＢＳ＿ＭＡＰメッセージのシンボル位置、即ち、後続するＭＢＳ＿ＭＡＰメッセージの当該ＭＢＳ＿ＭＡＰを含むフレームのフレームヘッダに対するシンボルオフセットを指示する。こうして、次のマルチキャストサービスデータを受信するように、移動端末は今回ＭＢＳ＿ＭＡＰ＿ＩＥ内のパラメーターＮｅｘｔ  ＭＢＳ  ｆｒａｍｅ  ｏｆｆｓｅｔとＮｅｘｔ  ＭＢＳ  ＯＦＤＭＡ  Ｓｙｍｂｏｌ  ｏｆｆｓｅｔに基づいて、後続する過程で能動的に覚めて、ＭＢＳ＿ＭＡＰメッセージをモニターし、且つ当該ＭＢＳ＿ＭＡＰメッセージに付けられている関連情報に基づいて次のマルチキャストサービスリソースを決定する。
【発明の開示】
【発明が解決しようとする課題】
【０００８】
上記説明からわかるように、従来技術において、移動端末がスリープモードを採用し且つノンマクロダイバーシチ方式によりマルチキャストデータを受信する場合、基地局はマルチキャストリソースに対して繰り返しの指示を行っている。その原因として、基地局の今回送信するＭＢＳ＿ＭＡＰ＿ＩＥにおいて、パラメーターＳＬＣ＿３＿ｉｎｄｉｃａｔｉｏｎ＝１の定義により、次のＭＢＳ＿ＭＡＰメッセージのフレーム位置を指示する必要があることを表明し、パラメーターＮｅｘｔ  ＭＢＳ  ｆｒａｍｅ  ｏｆｆｓｅｔとＮｅｘｔ  ＭＢＳ  ＯＦＤＭＡ  Ｓｙｍｂｏｌ  ｏｆｆｓｅｔにより、後続するＭＢＳ＿ＭＡＰメッセージの受信位置を指示しており、さらに、送信される、後続するＭＢＳ＿ＭＡＰメッセージにより移動端末へ次回のマルチキャストサービスリソースを指示する。それに相応して、移動端末は後続過程で覚めて前記後続するＭＢＳ＿ＭＡＰメッセージを受信しなければならなく、当該ＭＢＳ＿ＭＡＰメッセージにより次回のマルチキャストサービスリソースを取得する。しかし、基地局の次回送信するＭＢＳ＿ＭＡＰ＿ＩＥにおいて、やはり、パラメーターＯＦＤＭＡ  Ｓｙｍｂｏｌ  Ｏｆｆｓｅｔ  とＳｕｂｃｈａｎｎｅｌ  ｏｆｆｓｅｔにより当該次回のマルチキャストサービスリソースを指示する。以上からわかるように、基地局はマルチキャストサービスリソースに対して繰り返しの指示を行っている。移動端末にとっては、ＭＢＳ＿ＭＡＰ＿ＩＥを受信する時刻で覚めてマルチキャストサービスリソースを取得する必要があるだけではなく、ＭＢＳ＿ＭＡＰメッセージを受信する時刻で覚めて再びマルチキャストサービスリソースを取得しなければならないが、取得されるマルチキャストサービスリソースが繰り返したものでもあるため、移動端末のスリープ時間を無意味に低減し、移動端末の電力消費を増加し、移動端末の移動自由度を低下している。
【０００９】
本発明は、移動端末の電力消費を減少する方法を提供して、移動端末のスリープ時間を増加し、移動端末の電力消費を減少することを主な目的とする。
【課題を解決するための手段】
【００１０】
上記目的を達成するため、本発明の技術方案は下記のように実現されるものである。
【００１１】
移動端末の電力消費を減少する方法であって、
一種のマルチキャストサービスに対応する任意の一つのマルチキャストサービスマッピング情報要素を設定し、当該マルチキャストサービスに対応する次のマルチキャストサービスマッピング情報要素のフレーム位置を指示するステップＡと、
基地局がマルチキャストサービスマッピング情報要素及び対応するマルチキャストサービスデータを移動端末に送信するステップＢと、
移動端末が、受信されたマルチキャストサービスマッピング情報要素に基づいてマルチキャストサービスデータを受信し、且つ当該マルチキャストサービスマッピング情報要素によって指示される次のマルチキャストサービスマッピング情報要素のフレーム位置に基づいて、それ自身のスリープ時間の長さを設定するステップＣと、
移動端末が、スリープ時間の長さを過ぎた後、前記次のマルチキャストサービスマッピング情報要素を受信して得て、前記次のマルチキャストサービスマッピング情報要素に基づいて対応するマルチキャストサービスデータを受信するステップＤと、を含む。
【００１２】
前記ステップＡは、一種のマルチキャストサービスに対応する任意の一つのマルチキャストサービスマッピング情報要素にフレームオフセットパラメーターを設定し、当該フレームオフセットパラメーターは、当該任意の一つのマルチキャストサービスマッピング情報要素に対する当該マルチキャストサービスに対応する次のマルチキャストサービスマッピング情報要素のフレームオフセットを指示することを含み、
ステップＢにおいて、前記基地局がマルチキャストサービスマッピング情報要素を移動端末に送信するステップは、基地局がフレームオフセットパラメーターの値をマルチキャストサービスマッピング情報要素に付加して移動端末に送信することを含み、
ステップＣにおいて、前記移動端末が次のマルチキャストサービスマッピング情報要素のフレーム位置に基づいてそれ自身のスリープ時間の長さを設定するステップは、移動端末が、受信されたマルチキャストサービスマッピング情報要素中のフレーム位置パラメーターの値を取得し、当該フレーム位置パラメーターの値の対応する時間の長さをそれ自身のスリープ時間の長さに設定することを含む。
【００１３】
前記マルチキャストサービスマッピング情報要素がダウンリンクメッセージに付けられて移動端末に送信され、前記ダウンリンクメッセージがダウンリンクリソース割当メッセージ又は自己定義のメッセージであり、ステップＤにおいて、前記移動端末が次のマルチキャストサービスマッピング情報要素を受信するステップは、移動端末が前記次のマルチキャストサービスマッピング情報要素が付けられているダウンリンクメッセージを受信し、ダウンリンクメッセージに付けられている、情報要素タイプと情報要素長さを指示するパラメーターに基づいて当該ダウンリンクメッセージから前記次のマルチキャストサービスマッピング情報要素を取得することを含む。
【００１４】
前記ダウンリンクメッセージがダウンリンクリソース割当メッセージであり、
前記移動端末が次のマルチキャストサービスマッピング情報要素を取得するステップは、移動端末が、ダウンリンクリソース割当メッセージに対して解析を行って、一つの情報要素に対応するダウンリンクチャネル間隔識別コードが１５であり、且つ当該情報要素の対応する拡張されたダウンリンクチャネル間隔識別子コードの値が０ｘ００であることを解析して得た場合、当該情報要素が前記次のマルチキャストサービスマッピング情報要素であると決定し、且つ当該決定された情報要素中の情報要素長さパラメーターに基づいて当該次のマルチキャストサービスマッピング情報要素を取得することを含む。
【００１５】
前記ステップＡにおいて、一種のマルチキャストサービスに対応する任意の一つのマルチキャストサービスマッピング情報要素に、シンボルオフセットパラメーターと情報要素長さパラメーターを設定することをさらに含み、ここで、シンボルオフセットパラメーターは当該マルチキャストサービスに対応する次のマルチキャストサービスマッピング情報要素がその所在フレーム内でフレームヘッダに対するシンボルオフセットを指示し、情報要素長さパラメーターは当該マルチキャストサービスに対応する次のマルチキャストサービスマッピング情報要素の実際的な長さを指示し、
ステップＢにおいて、前記基地局がマルチキャストサービスマッピング情報要素を移動端末に送信するステップは、基地局がシンボルオフセットパラメーターの値と情報要素長さパラメーターの値とをマルチキャストサービスマッピング情報要素に付けて移動端末に送信することを更に含み、
前記ステップＣにおいて、移動端末が受信されたマルチキャストサービスマッピング情報要素中のシンボルオフセットパラメーターの値と情報要素長さパラメーターの値とを取得することを更に含み、
ステップＤにおいて、前記移動端末が次のマルチキャストサービスマッピング情報要素を受信するステップは、移動端末が取得されたシンボルオフセットパラメーターの値と情報要素長さパラメーターの値とに基づいて前記次のマルチキャストサービスマッピング情報要素を受信して取得することを含む。
【００１６】
前記ステップＣにおいて、移動端末が受信されたマルチキャストサービスマッピング情報要素中でマルチキャストサービスデータ長さを指示するパラメーターの値を取得し、取得した情報要素長さパラメーターの対応する時間の長さと、当該マルチキャストサービスデータ長さを指示するパラメーターの値の対応する時間の長さとに基づいてモニター時間の長さを設定することを更に含み、
ステップＤにおいて、移動端末は設定されたモニター時間の長さ内で前記次のマルチキャストサービスマッピング情報要素とマルチキャストサービスデータとを受信する。
【００１７】
前記ステップＡにおいて、一種のマルチキャストサービスに対応する任意の一つのマルチキャストサービスマッピング情報要素に、マルチキャストサービスマッピング情報要素のみに基づいてマルチキャストサービスリソースを取得することを移動端末に指示するパラメーターを設定することを更に含み、
ステップＣにおいて、前記移動端末がマルチキャストサービスマッピング情報要素に基づいてマルチキャストサービスデータを受信するステップは、移動端末はマルチキャストサービスマッピング情報要素中で、マルチキャストサービスマッピング情報要素のみに基づいてマルチキャストサービスリソースを取得することを移動端末に指示するパラメーターに基づいて、マルチキャストサービスマッピング情報要素からマルチキャストサービスデータのシンボルオフセット位置と、サブチャネルオフセット位置と、占用したＯＦＤＭＡシンボル数と、占用したサブチャネルの本数とを解析して得て、マルチキャストサービスデータを受信することを含む。
【００１８】
前記マルチキャストサービスマッピング情報要素のみに基づいてマルチキャストサービスリソースを取得することを移動端末に指示するパラメーターを設定するステップは、
マルチキャストサービスマッピング情報要素中で後続するマルチキャストサービスマッピングメッセージのフレーム位置を指示する必要があるように定義された元のパラメーターを、改めて次のマルチキャストサービスマッピング情報要素受信位置を指示する必要があるように定義することを含む。
前記マルチキャストサービスマッピング情報要素のみに基づいてマルチキャストサービスリソースを取得することを移動端末に指示するパラメーターを設定するステップは、マルチキャストサービスマッピング情報要素に一つの自己定義のパラメーターを増加し、当該自己定義のパラメーターは次のマルチキャストサービスマッピング情報要素の受信位置を指示する必要があるように定義されることを含む。
【００１９】
前記ステップＡにおいて、一種のマルチキャストサービスに対応する任意の一つのマルチキャストサービスマッピング情報要素中で、後続するマルチキャストサービスマッピングメッセージのフレーム位置とシンボル位置とを指示するパラメーターを削除することを更に含む。
【００２０】
ステップＣにおいて、前記それ自身のスリープ時間の長さを設定することは、移動端末がそれ自身の、データを受信する必要がないスリープウィンドウの長さ期限を設定することを含み、
ステップＤにおける前記スリープ時間の長さを過ぎた後は、スリープウィンドウの期限が終わった後を含む。
【発明の効果】
【００２１】
移動端末においてスリープモードを採用し且つノンマクロダイバーシチ方式によりマルチキャストサービスデータを受信する場合、本発明に係る方法は以下のメリットを持っている。
【００２２】
１、本発明において、ＭＢＳ＿ＭＡＰ＿ＩＥの中で後続するＭＢＳ＿ＭＡＰメッセージを指示する各パラメーターを削除し、次のＭＢＳ＿ＭＡＰ＿ＩＥだけに基づいてマルチキャストサービスリソースを取得するよう指示するパラメーターと、次のＭＢＳ＿ＭＡＰ＿ＩＥの具体的なフレーム位置を指示するパラメーターをＭＢＳ＿ＭＡＰ＿ＩＥに増加することにより、移動端末にとって後続するＭＢＳ＿ＭＡＰメッセージを受信することなく、各ＭＢＳ＿ＭＡＰ＿ＩＥを受信することのみによりマルチキャストサービスリソースを取得するようになる。従って、移動端末のスリープ時間が増加され、移動端末の電力消費が減少される。
【００２３】
２、本発明において、ＭＢＳ＿ＭＡＰ＿ＩＥで次のＭＢＳ＿ＭＡＰ＿ＩＥ情報要素長さと次のＭＢＳ＿ＭＡＰ＿ＩＥのその所在フレーム内でフレームヘッダに対するシンボルオフセットを指示することにより、移動端末がそれ自身のモニター時間の長さを設定することに有利し、移動端末にとってＭＢＳ＿ＭＡＰ＿ＩＥを含むダウンリンクメッセージのフレーム全体を受信する必要がなく、ダウンリンクメッセージ内の次のＭＢＳ＿ＭＡＰ＿ＩＥだけを受信して取得するようになる。従って、移動端末の電力消費が更に減少され、移動端末の処理過程が簡略化され、移動端末の処理複雑度が低下される。
【００２４】
３、本発明において、ＭＢＳ＿ＭＡＰ＿ＩＥの中で後続するＭＢＳ＿ＭＡＰメッセージを指示する各パラメーターを削除することにより、基地局にとっては移動端末へＭＢＳ＿ＭＡＰメッセージを再度送信する必要がないため、無線インターフェースリソースが節約され、帯域幅効率が向上される。
【発明を実施するための最良の形態】
【００２５】
本発明の目的、技術方案とメリットを更に明確にするため、以下、図面と具体的な実施例を参照しながら、本発明について更に詳しく説明する。
【００２６】
移動端末においてスリープモードを採用し且つノンマクロダイバーシチ方式によりマルチキャストサービスデータを受信する場合、基地局はマルチキャストサービスデータとＭＢＳ＿ＭＡＰ＿ＩＥの付けられているＤＬ＿ＭＡＰメッセージを移動端末へ同時に送信する。従って、マルチキャストサービスデータを受信するために、移動端末は基地局がＭＢＳ＿ＭＡＰ＿ＩＥを送信する時刻で覚めてＭＢＳ＿ＭＡＰ＿ＩＥを受信するべきであり、移動端末のスリープ時間を無意味に低減することはない。しかし従来技術において、マルチキャストサービスリソースを取得するために、移動端末は、基地局がＭＢＳ＿ＭＡＰメッセージを送信する時刻でまた覚めなければならないが、ＭＢＳ＿ＭＡＰメッセージから取得するマルチキャストサービスリソースはＤＬ＿ＭＡＰメッセージ内のＭＢＳ＿ＭＡＰ＿ＩＥから取得することが完全に可能である。上記からわかるように、移動端末にとって、ＭＢＳ＿ＭＡＰメッセージは実際にリダンダンシー（ｒｅｄｕｎｄａｎｃｙ）なメッセージであり、移動端末は基地局の毎回送信するＭＢＳ＿ＭＡＰ＿ＩＥさえ取得すれば、毎回具体的なマルチキャストサービスリソースの取得を保証することにより、基地局の毎回送信するマルチキャストサービスデータを正常に受信することができる。
【００２７】
この特徴に対して、本発明は移動端末の電力消費を減少する方法を提出している。その中心的な考えとして、一種のマルチキャストサービスに対応する任意の一つのＭＢＳ＿ＭＡＰ＿ＩＥを設定し、当該マルチキャストサービスに対応する次のＭＢＳ＿ＭＡＰ＿ＩＥのフレーム位置を指示し、ＭＢＳ＿ＭＡＰ＿ＩＥ及び対応するマルチキャストサービスデータを移動端末に送信し、移動端末は受信したＭＢＳ＿ＭＡＰ＿ＩＥに基づいてマルチキャストサービスデータを受信し、受信したＭＢＳ＿ＭＡＰ＿ＩＥによって指示された次のＭＢＳ＿ＭＡＰ＿ＩＥのフレーム位置に基づいてそれ自身のスリープ時間の長さを設定し、移動端末はスリープ時間の長さを過ぎた後、次のＭＢＳ＿ＭＡＰ＿ＩＥを受信し、上記次のＭＢＳ＿ＭＡＰ＿ＩＥに基づいて対応するマルチキャストサービスデータを受信する。
【００２８】
ここで、ＭＢＳ＿ＭＡＰ＿ＩＥを移動端末に送信することを実現することで、本発明はＭＢＳ＿ＭＡＰ＿ＩＥをダウンリンクメッセージに付けて移動端末に送信する。当該ダウンリンクメッセージは元のＤＬ＿ＭＡＰメッセージでもよく、本発明の自己定義したメッセージでもよい。
【００２９】
また、移動端末がスリープ時間の長さを過ぎた後で前記次のＭＢＳ＿ＭＡＰ＿ＩＥを正確に受信することを保証することで、本発明には二種の具体的な実施形態が存在している。形態１として、前記任意の一つのＭＢＳ＿ＭＡＰ＿ＩＥには前記次のＭＢＳ＿ＭＡＰ＿ＩＥを指示するフレームオフセットパラメーター、シンボルオフセットパラメーター及び情報要素長さパラメーターが設定され、移動端末に送信するＭＢＳ＿ＭＡＰ＿ＩＥには次のＭＢＳ＿ＭＡＰ＿ＩＥのフレームオフセットパラメーターの値、シンボルオフセットパラメーターの値及び情報要素長さパラメーターの値が付けられ、移動端末はスリープ時間の長さを過ぎた後、次のＭＢＳ＿ＭＡＰ＿ＩＥのシンボルオフセットパラメーターの値及び情報要素長さパラメーターの値に基づいて、ダウンリンクメッセージのフレーム全体を受信せず、ダウンリンクメッセージ内の当該次のＭＢＳ＿ＭＡＰ＿ＩＥだけを受信して取得する。形態２として、移動端末はダウンリンクメッセージのフレーム全体を受信し、ダウンリンクメッセージへの解析により、ダウンリンクメッセージから次のＭＢＳ＿ＭＡＰ＿ＩＥを得る。
【００３０】
また、説明すべきものとして、本発明において、関連されるＭＢＳ＿ＭＡＰ＿ＩＥ及びマルチキャストサービスデータの全ては同一のマルチキャスト接続識別子の対応するマルチキャストサービスに対していうものである。
【００３１】
以下、本発明において移動端末がスリープ時間を過ぎた後で次のＭＢＳ＿ＭＡＰ＿ＩＥを受信することを保証する二種の実施形態に対して、それぞれ一つの実施例を挙げて本発明の完全な実現過程を説明する。
【００３２】
［実施例１］
図１は本発明の実施例１による移動端末の電力消費を減少するフローチャートである。図１を参照して、移動端末においてスリープモードを採用し且つノンマクロダイバーシチ方式によりマルチキャストサービスデータを受信する場合、本発明の移動端末の電力消費を減少するプロセルは、具体的に、以下のステップを含む。
【００３３】
ステップ１０１で、ＭＢＳ＿ＭＡＰ＿ＩＥにおいて、ＭＢＳ＿ＭＡＰ＿ＩＥだけに基づいてマルチキャストサービスリソースを取得することを移動端末に指示するパラメーターを設定する。
【００３４】
ここで、従来技術において、パラメーターＳＬＣ＿３＿ｉｎｄｉｃａｔｉｏｎ＝１は、移動端末がスリープモードを採用し且つ後続するＭＢＳ＿ＭＡＰメッセージのフレーム位置を指示する必要であることを表し、つまり、当該パラメーターＳＬＣ＿３＿ｉｎｄｉｃａｔｉｏｎ＝１は、移動端末に後続する過程においてリダンダンシーなＭＢＳ＿ＭＡＰメッセージを受信し、且つＭＢＳ＿ＭＡＰメッセージに基づいてマルチキャストサービスリソースを取得することを指示するため、マルチキャストサービスリソースの重複取得を招く。従って、移動端末がリダンダンシーなＭＢＳ＿ＭＡＰメッセージを受信することを回避するため、本ステップにおいて、ＭＢＳ＿ＭＡＰ＿ＩＥに、ＭＢＳ＿ＭＡＰ＿ＩＥだけに基づいてマルチキャストサービスリソースを取得することを移動端末に指示するパラメーターを設定する。具体的な実現は下記の通りである。
【００３５】
ＭＢＳ＿ＭＡＰ＿ＩＥ内の元のパラメーターＳＬＣ＿３＿ｉｎｄｉｃａｔｉｏｎ＝１を改めて定義し、パラメーターＳＬＣ＿３＿ｉｎｄｉｃａｔｉｏｎ＝１を設定して、移動端末がスリープモードを採用し且つ次のＭＢＳ＿ＭＡＰ＿ＩＥの受信位置を指示する必要であることを表す。又は、直接にパラメーターＳＬＣ＿３＿ｉｎｄｉｃａｔｉｏｎを削除し、且つ一つの自己定義したパラメーターを増加して、移動端末がスリープモードを採用し且つ次のＭＢＳ＿ＭＡＰ＿ＩＥの受信位置を指示する必要であることを表す。
【００３６】
こうして、本ステップによって設定された指示により、移動端末はＭＢＳ＿ＭＡＰ＿ＩＥだけに基づいてマルチキャストサービスリソースのパラメーターを取得する。基地局は、移動端末にまたＭＢＳ＿ＭＡＰメッセージを送信する必要がなく、ＭＢＳ＿ＭＡＰ＿ＩＥ内に次のＭＢＳ＿ＭＡＰ＿ＩＥを指示するパラメーターのみを付ければよい。移動端末は、またリダンダンシーなＭＢＳ＿ＭＡＰメッセージを受信する必要がなく、次のＭＢＳ＿ＭＡＰ＿ＩＥのみを受信すればよいことを知る。
【００３７】
ステップ１０２で、ＭＢＳ＿ＭＡＰ＿ＩＥにおいて、ＭＢＳ＿ＭＡＰメッセージの具体的な受信位置を指示するためのパラメーターＮｅｘｔ  ＭＢＳ  ｆｒａｍｅ  ｏｆｆｓｅｔとＮｅｘｔ  ＭＢＳ  ＯＦＤＭＡ  Ｓｙｍｂｏｌ  ｏｆｆｓｅｔを削除する。
【００３８】
ステップ１０３で、ＭＢＳ＿ＭＡＰ＿ＩＥにおいて、次のＭＢＳ＿ＭＡＰ＿ＩＥのフレーム位置を指示するフレームオフセットパラメーターを設定する。
【００３９】
ここで、次のＭＢＳ＿ＭＡＰ＿ＩＥのフレーム位置を指示するフレームオフセットパラメーターを設定することにより、次のＭＢＳ＿ＭＡＰ＿ＩＥの本フレームＭＢＳ＿ＭＡＰ＿ＩＥに対するフレームオフセットを指示する。例えば、次のＭＢＳ＿ＭＡＰ＿ＩＥのフレーム位置を指示するフレームオフセットパラメーターをＮｅｘｔ  ＭＢＳ＿ＭＡＰ＿ＩＥ  ｆｒａｍｅ  ｏｆｆｓｅｔと設定することができる。
【００４０】
ステップ１０４で、ＭＢＳ＿ＭＡＰ＿ＩＥにおいて、次のＭＢＳ＿ＭＡＰ＿ＩＥを指示するシンボルオフセットパラメーターを設定する。
【００４１】
ここで、次のＭＢＳ＿ＭＡＰ＿ＩＥを指示するシンボルオフセットパラメーターを設定することにより、次のＭＢＳ＿ＭＡＰ＿ＩＥの次の当該ＭＢＳ＿ＭＡＰ＿ＩＥを含むフレームのフレームヘッダに対するシンボルオフセットを指示する。例えば、次のＭＢＳ＿ＭＡＰ＿ＩＥを指示するシンボルオフセットパラメーターをＮｅｘｔ  ＭＢＳ＿ＭＡＰ＿ＩＥ  ＯＦＤＭＡ  Ｓｙｍｂｏｌ  ｏｆｆｓｅｔと設定することができる。
【００４２】
ステップ１０５で、ＭＢＳ＿ＭＡＰ＿ＩＥにおいて、次のＭＢＳ＿ＭＡＰ＿ＩＥの実際的な長さを指示する情報要素長さパラメーターを設定する。
【００４３】
ここで、次のＭＢＳ＿ＭＡＰ＿ＩＥの実際的な長さを指示する情報要素長さパラメーターを設定することにより、次のＭＢＳ＿ＭＡＰ＿ＩＥの具体的な長さを指示して、移動端末が当該具体的なフレーム長さに基づいてそれ自身のモニター時間の長さを設定するようにする。例えば、本ステップにおいて、情報要素フレーム長さパラメーターをＮｅｘｔ  ＭＢＳ＿ＭＡＰ＿ＩＥ  Ｌｅｎｇｔｈと設定することができる。
【００４４】
ステップ１０１〜１０５により、本実施例ではＭＢＳ＿ＭＡＰ＿ＩＥにおいて後続するＭＢＳ＿ＭＡＰメッセージを利用することを指示する各パラメーターを削除し、且つ次のＭＢＳ＿ＭＡＰ＿ＩＥの具体的な受信位置と当該情報要素長さを指示するパラメーターを増加している。ここで、ステップ１０１〜１０５の前後順は限定しない。
【００４５】
ここまで、相応に一つの改めて定義されたＭＢＳ＿ＭＡＰ＿ＩＥが得られ、その具体的なフォーマットは表２に示したものを参照してよい。
【００４６】
【表２Ａ】
2008541582.tif 000007
【表２Ｂ】
2008541582.tif 000008
【表２Ｃ】
2008541582.tif 000009
【表２Ｄ】
2008541582.tif 000010
【表２Ｅ】
2008541582.tif 000011
【００４７】
ステップ１０６で、基地局から移動端末へマルチキャストサービスデータを送信するフレーム時刻で、基地局はＭＢＳ＿ＭＡＰ＿ＩＥの付けられているダウンリンクメッセージとマルチキャストサービスデータを移動端末に送信する。
【００４８】
ここで、上記ダウンリンクメッセージは元のＤＬ＿ＭＡＰメッセージでもよく、本発明の自己定義したメッセージでもよい。
【００４９】
また、本ステップにおいて、基地局はＭＢＳ＿ＭＡＰ＿ＩＥ内に次のＭＢＳ＿ＭＡＰ＿ＩＥを指示するフレームオフセットパラメーターの値と、次のＭＢＳ＿ＭＡＰ＿ＩＥを指示するシンボルオフセットパラメーターの値と、次のＭＢＳ＿ＭＡＰ＿ＩＥの実際的な長さを指示する情報要素長さパラメーターの値とを付ける。
【００５０】
ステップ１０７で、移動端末はダウンリンクメッセージからＭＢＳ＿ＭＡＰ＿ＩＥを取得し、当該ＭＢＳ＿ＭＡＰ＿ＩＥ内でＭＢＳ＿ＭＡＰ＿ＩＥだけに基づいてマルチキャストサービスリソースを取得することを移動端末に指示するパラメーター、例えばパラメーターＳＬＣ＿３＿ｉｎｄｉｃａｔｉｏｎ＝１に基づいてＭＢＳ＿ＭＡＰメッセージでなく当該ＭＢＳ＿ＭＡＰ＿ＩＥに基づいてマルチキャストサービスリソースを取得するべきであることを知り、当該ＭＢＳ＿ＭＡＰ＿ＩＥ内のパラメーターＯＦＤＭＡ  Ｓｙｍｂｏｌ  Ｏｆｆｓｅｔと、Ｓｕｂｃｈａｎｎｅｌ  ｏｆｆｓｅｔと、ＮＯ．ＯＦＤＭＡ  Ｓｙｍｂｏｌｓと、ＮＯ．Ｓｕｂｃｈａｎｎｅｌｓとに基づいて今回の具体的なマルチキャストサービスデータを受信する。
【００５１】
ここで、移動端末は、パラメーターＯＦＤＭＡ  Ｓｙｍｂｏｌ  Ｏｆｆｓｅｔによりマルチキャストサービスデータの本フレームデータ内のシンボルオフセット位置を取得し、パラメーターＳｕｂｃｈａｎｎｅｌ  ｏｆｆｓｅｔによりマルチキャストサービスデータの本フレームデータ内のサブチャネルオフセット位置を取得し、パラメーターＮＯ．ＯＦＤＭＡ  Ｓｙｍｂｏｌｓによりマルチキャストサービスデータの占用したＯＦＤＭＡシンボル数を取得し、パラメーターＮＯ．Ｓｕｂｃｈａｎｎｅｌｓによりマルチキャストサービスデータの占用したサブチャネルの本数を取得し、これによって、マルチキャストサービスデータを正確に受信する。
【００５２】
ステップ１０８で、移動端末は、受信されたＭＢＳ＿ＭＡＰ＿ＩＥ内でＭＢＳ＿ＭＡＰ＿ＩＥだけに基づいてマルチキャストサービスリソースを取得することを移動端末に指示するパラメーター及び次のＭＢＳ＿ＭＡＰ＿ＩＥのフレームオフセットパラメーターの値に基づいてそれ自身のスリープ時間の長さを設定する。
【００５３】
ここで、移動端末は、受信されたＭＢＳ＿ＭＡＰ＿ＩＥ内でＭＢＳ＿ＭＡＰ＿ＩＥだけに基づいてマルチキャストサービスリソースを取得することを移動端末に指示するパラメーター、例えば表２に示すパラメーターＳＬＣ＿３＿ｉｎｄｉｃａｔｉｏｎ＝１に基づいて、後続する過程においてＭＢＳ＿ＭＡＰメッセージを受信してマルチキャストサービスリソースを取得する必要がないことを知る。つまり、移動端末は、基地局からＭＢＳ＿ＭＡＰメッセージを送信するフレーム時刻で当該ＭＢＳ＿ＭＡＰメッセージをモニターする必要がなく、続いてスリープ状態にあってよい。また、移動端末は、受信されたＭＢＳ＿ＭＡＰ＿ＩＥ内で次のＭＢＳ＿ＭＡＰ＿ＩＥのフレームオフセットを指示するパラメーターの値、例えば表２に示すパラメーターＮｅｘｔ  ＭＢＳ＿ＭＡＰ＿ＩＥ  ｆｒａｍｅ  ｏｆｆｓｅｔの値に基づいて、次のＭＢＳ＿ＭＡＰ＿ＩＥの本フレームＭＢＳ＿ＭＡＰ＿ＩＥに対するフレームオフセットを取得し、当該フレームオフセットの対応する時間の長さに基づいてそれ自身のスリープ時間の長さを設定する。例えば、Ｎｅｘｔ  ＭＢＳ＿ＭＡＰ＿ＩＥ  ｆｒａｍｅ  ｏｆｆｓｅｔの値が６であれば、移動端末は、次のＭＢＳ＿ＭＡＰ＿ＩＥのフレーム位置が本フレームＭＢＳ＿ＭＡＰ＿ＩＥ後の６フレームの時刻であることを知ることができ、移動端末はそれ自身のスリープ時間の長さを６フレームの時間の長さに設定することができ、即ちそれ自身が６フレームの時間の長さ内にスリープ状態にあることを保証して、これによって、電力消費を減少し、且つ６フレームの時間の長さを過ぎた後、即ち次のＭＢＳ＿ＭＡＰ＿ＩＥが来る時はモニター状態にあって、正確に次のＭＢＳ＿ＭＡＰ＿ＩＥを受信することができる。
【００５４】
ステップ１０９で、移動端末は、受信されたＭＢＳ＿ＭＡＰ＿ＩＥ内で移動端末に次のＭＢＳ＿ＭＡＰ＿ＩＥのシンボルオフセットを指示するパラメーターの値に基づいて、次のＭＢＳ＿ＭＡＰ＿ＩＥのその所在フレームに対するシンボルオフセット位置を取得する。
【００５５】
ここで、例えば表２に示すＮｅｘｔ  ＭＢＳ＿ＭＡＰ＿ＩＥ  ＯＦＤＭＡ  Ｓｙｍｂｏｌ  ｏｆｆｓｅｔのパラメーター値に基づいて次のＭＢＳ＿ＭＡＰ＿ＩＥシンボル位置の当該ＭＢＳ＿ＭＡＰ＿ＩＥを含むフレームのフレームヘッダに対するシンボルオフセットを取得する。
【００５６】
ステップ１１０で、移動端末は、受信されたＭＢＳ＿ＭＡＰ＿ＩＥ内で移動端末に次のＭＢＳ＿ＭＡＰ＿ＩＥの情報要素長さを指示するパラメーターの値に基づいて、次のＭＢＳ＿ＭＡＰ＿ＩＥの実際的な長さを取得し、且つＭＢＳ＿ＭＡＰ＿ＩＥ内でマルチキャストサービスデータ長さを指示するパラメーターの値に基づいてマルチキャストサービスデータの実際的な長さを取得し、その後、取得された次のＭＢＳ＿ＭＡＰ＿ＩＥの実際的な長さとマルチキャストサービスデータの実際的な長さに基づいてそれ自身のモニター時間の長さを設定する。
【００５７】
ここで、例えばＭＢＳ＿ＭＡＰ＿ＩＥ内のマルチキャストサービスデータの長さを指示するパラメーターは表２に示すパラメーターＮＯ．  ＯＦＤＭＡ  Ｓｙｍｂｏｌｓであり、移動端末は当該マルチキャストサービスデータの時間の長さに基づいて、それ自身がマルチキャストサービスデータを受信するときのモニター時間の長さを設定することができる。なお、次のＭＢＳ＿ＭＡＰ＿ＩＥの実際的な長さは、移動端末が後続する過程において次のＭＢＳ＿ＭＡＰ＿ＩＥを受信するとき占用する長さを表すことができる。つまり、移動端末は次のＭＢＳ＿ＭＡＰ＿ＩＥの時間の長さに基づいて、それ自身が次のＭＢＳ＿ＭＡＰ＿ＩＥを受信するときのモニター時間の長さを設定することができ、次のＭＢＳ＿ＭＡＰ＿ＩＥを含むメッセージのフレーム全体を受信する必要はない。
【００５８】
ステップ１１１で、移動端末はそれ自身が設定したスリープ時間の長さ内にスリープ状態にあり、無線インターフェースは基地局との連絡を一時中断し、いかなるメッセージの送受信もしない。
【００５９】
ステップ１０７〜１１１において、移動端末がダウンリックメッセージからＭＢＳ＿ＭＡＰ＿ＩＥを取得した後、ここで他の過程の前後順は限定しない。
【００６０】
ステップ１１２で、移動端末は設定されたスリープ時間の長さを過ぎた後、それ自身の設定したモニター時間の長さ内に基地局からの次のＭＢＳ＿ＭＡＰ＿ＩＥを受信し、当該次のＭＢＳ＿ＭＡＰ＿ＩＥに基いて対応するマルチキャストサービスデータを受信する。
【００６１】
ここで、移動端末が次のＭＢＳ＿ＭＡＰ＿ＩＥのフレームオフセットに対する時間の長さをスリープ時間の長さと設定したため、上記設定されたスリープ時間の長さを過ぎた後は、ちょうど上記次のＭＢＳ＿ＭＡＰ＿ＩＥの付けられているダウンリンクメッセージが来る時刻である。
【００６２】
また、本ステップにおいて、移動端末が次のＭＢＳ＿ＭＡＰ＿ＩＥを受信する過程としては、既に取得された、当該次のＭＢＳ＿ＭＡＰ＿ＩＥのその所在フレーム内のフレームヘッダに対するシンボルオフセット位置に基づいて、当該次のＭＢＳ＿ＭＡＰ＿ＩＥを受信する具体的なシンボル位置を決定し、その後、既に取得された当該次のＭＢＳ＿ＭＡＰ＿ＩＥの情報要素長さに基づいて、決定された具体的なシンボル位置で当該次のＭＢＳ＿ＭＡＰ＿ＩＥを受信する。
【００６３】
ステップ１１２において、移動端末が当該次のＭＢＳ＿ＭＡＰ＿ＩＥに基いて対応するマルチキャストサービスデータを受信する過程はステップ１０７での説明と類似しているため、ここではこれ以上説明しない。
【００６４】
［実施例２］
図２は本発明の実施例２による移動端末の電力消費を減少するフローチャートである。図２を参照して、移動端末においてスリープモードを採用し且つノンマクロダイバーシチ方式によりマルチキャストサービスデータを受信する場合、本発明の移動端末の電力消費を減少するプロセルは、具体的に、以下のステップを含む。
【００６５】
ステップ２０１〜２０３はステップ１０１〜１０３での説明と同じである。
【００６６】
ステップ２０４で、基地局から移動端末へマルチキャストサービスデータを送信するフレーム時刻で、基地局はＭＢＳ＿ＭＡＰ＿ＩＥの付けられているダウンリンクメッセージとマルチキャストサービスデータを移動端末に送信する。
【００６７】
ここで、上記ダウンリンクメッセージは元のＤＬ＿ＭＡＰメッセージでもよく、本発明の自己定義したメッセージでもよい。
【００６８】
また、本ステップ２０４において、ダウンリンクメッセージに付けられているＭＢＳ＿ＭＡＰ＿ＩＥと実施例１におけるステップ１０６でのダウンリンクメッセージに付けられているＭＢＳ＿ＭＡＰ＿ＩＥの異なるところは、ステップ１０６において、ＭＢＳ＿ＭＡＰ＿ＩＥには次のＭＢＳ＿ＭＡＰ＿ＩＥを指示するフレームオフセットパラメーターの値だけでなく、次のＭＢＳ＿ＭＡＰ＿ＩＥを指示するシンボルオフセットパラメーターの値と情報要素長さパラメーターの値も付けられているが、本ステップ２０４において、ＭＢＳ＿ＭＡＰ＿ＩＥには次のＭＢＳ＿ＭＡＰ＿ＩＥを指示するフレームオフセットパラメーターの値のみが付けられていることである。
【００６９】
ステップ２０５〜２０６はステップ１０７〜１０８の説明と同じである。
【００７０】
ステップ２０７はステップ１１１の説明と同じである。
【００７１】
ステップ２０８〜ステップ２０９で、移動端末は設定されたスリープ時間の長さを過ぎた後、基地局からの次のＭＢＳ＿ＭＡＰ＿ＩＥの付けられているダウンリンクメッセージを受信し、受信したダウンリンクメッセージから次のＭＢＳ＿ＭＡＰ＿ＩＥを取得し、且つ当該次のＭＢＳ＿ＭＡＰ＿ＩＥに基づいてマルチキャストサービスデータを受信する。
【００７２】
ここで、移動端末が当該ダウンリンクメッセージから上記次のＭＢＳ＿ＭＡＰ＿ＩＥを取得する過程として、移動端末は受信したダウンリンクメッセージ内の全ての内容に対して解析を行い、ダウンリンクメッセージに付けられている各情報要素タイプと情報要素長さを指示するパラメーターに基づいて、ダウンリンクメッセージ内に付けられている上記次のＭＢＳ＿ＭＡＰ＿ＩＥを解析して取得する。
【００７３】
例えば、本実施例において上記ダウンリンクメッセージがＤＬ＿ＭＡＰメッセージである場合、ＤＬ＿ＭＡＰメッセージに複数の情報要素が含まれているため、各情報要素をＤＩＵＣ（Ｄｏｗｎｌｉｎｋ  Ｉｎｔｅｒｖａｌ  Ｕｓａｇｅ  Ｃｏｄｅ）によって識別する。ＤＩＵＣが１５である場合、現在の各情報要素が拡張情報要素であることを表し、ＭＢＳ＿ＭＡＰ＿ＩＥは拡張情報要素中の一つであり、各拡張情報要素は更に拡張ＤＩＵＣ（Ｅｘｔｅｎｄｅｄ  ＤＩＵＣ）によって指示される。ＭＢＳ＿ＭＡＰ＿ＩＥの対応するＥｘｔｅｎｄｅｄ  ＤＩＵＣは０ｘ００であり、ここの“０ｘ”は１６進法を表す。こうして、本ステップにおいて、移動端末がＤＬ＿ＭＡＰメッセージから上記次のＭＢＳ＿ＭＡＰ＿ＩＥを取得する過程として、移動端末が受信したＤＬ＿ＭＡＰメッセージを解析して、ある一つの情報要素の対応するＤＩＵＣが１５であることを解析して得た場合、移動端末は当該情報要素が拡張された情報要素であると決定し、その後、更に当該拡張情報要素の対応するＥｘｔｅｎｄｅｄ  ＤＩＵＣが０ｘ００であることを解析して得たとき、移動端末は当該当該拡張された情報要素がＭＢＳ＿ＭＡＰ＿ＩＥであると決定し、その後、決定された当該ＭＢＳ＿ＭＡＰ＿ＩＥ内の情報要素長さを指示するパラメーターＬｅｎｇｔｈに基づいて当該ＭＢＳ＿ＭＡＰ＿ＩＥの長さを取得し、これによって上記の次のＭＢＳ＿ＭＡＰ＿ＩＥを取得することである。
【００７４】
ステップ２０９において、移動端末が当該次のＭＢＳ＿ＭＡＰ＿ＩＥに基いて対応するマルチキャストサービスデータを受信する過程はステップ１０７での説明と類似しているため、ここではこれ以上説明しない。
【００７５】
上記は、本発明の好ましい実施例にすぎず、本発明の保護範囲を限定するものではない。本発明の精神と原則内で行われる種々の修正、均等切替、改善などは全て本発明の保護範囲内に含まれるべきである。
【図面の簡単な説明】
【００７６】
【図１】本発明の実施例１による移動端末の電力消費を減少するフローチャートである。
【図２】本発明の実施例２による移動端末の電力消費を減少するフローチャートである。
【符号の説明】
【００７７】
１０１〜１１２，２０１〜２０９  ステップ
【図１】
2008541582.tif 000012
【図２】
2008541582.tif 000013
【手続補正書】
【提出日】平成19年11月7日(2007.11.7)
【手続補正１】
【補正対象書類名】特許請求の範囲
【補正対象項目名】全文
【補正方法】変更
【補正の内容】
【特許請求の範囲】
【請求項１】
移動端末の電力消費を減少する方法であって、
一種のマルチキャストサービスに対応する任意の一つのマルチキャストサービスマッピング情報要素を設定し、当該マルチキャストサービスに対応する次のマルチキャストサービスマッピング情報要素のフレーム位置を指示するステップＡと、
基地局がマルチキャストサービスマッピング情報要素及び対応するマルチキャストサービスデータを移動端末に送信するステップＢと、
移動端末が、受信されたマルチキャストサービスマッピング情報要素に基づいてマルチキャストサービスデータを受信し、且つ当該マルチキャストサービスマッピング情報要素によって指示される次のマルチキャストサービスマッピング情報要素のフレーム位置に基づいて、それ自身のスリープ時間の長さを設定するステップＣと、
移動端末が、スリープ時間の長さを過ぎた後、前記次のマルチキャストサービスマッピング情報要素を受信して得て、前記次のマルチキャストサービスマッピング情報要素に基づいて対応するマルチキャストサービスデータを受信するステップＤと、を含む、
ことを特徴とする方法。
【請求項２】
前記ステップＡは、一種のマルチキャストサービスに対応する任意の一つのマルチキャストサービスマッピング情報要素にフレームオフセットパラメーターを設定し、当該フレームオフセットパラメーターは、当該任意の一つのマルチキャストサービスマッピング情報要素に対する当該マルチキャストサービスに対応する次のマルチキャストサービスマッピング情報要素のフレームオフセットを指示することを含み、
ステップＢにおいて、前記基地局がマルチキャストサービスマッピング情報要素を移動端末に送信するステップは、基地局がフレームオフセットパラメーターの値をマルチキャストサービスマッピング情報要素に付加して移動端末に送信することを含み、
ステップＣにおいて、前記移動端末が次のマルチキャストサービスマッピング情報要素のフレーム位置に基づいてそれ自身のスリープ時間の長さを設定するステップは、移動端末が、受信されたマルチキャストサービスマッピング情報要素中のフレーム位置パラメーターの値を取得し、当該フレーム位置パラメーターの値の対応する時間の長さをそれ自身のスリープ時間の長さに設定することを含む、
ことを特徴とする請求項１に記載の方法。
【請求項３】
前記マルチキャストサービスマッピング情報要素がダウンリンクメッセージに付けられて移動端末に送信され、前記ダウンリンクメッセージがダウンリンクリソース割当メッセージ又は自己定義のメッセージであることを特徴とする請求項１に記載の方法。
【請求項４】
ステップＤにおいて、前記移動端末が次のマルチキャストサービスマッピング情報要素を受信するステップは、移動端末が前記次のマルチキャストサービスマッピング情報要素が付けられているダウンリンクメッセージを受信し、ダウンリンクメッセージに付けられている、情報要素タイプと情報要素長さを指示するパラメーターに基づいて当該ダウンリンクメッセージから前記次のマルチキャストサービスマッピング情報要素を取得することを含む、
ことを特徴とする請求項３に記載の方法。
【請求項５】
前記ダウンリンクメッセージがダウンリンクリソース割当メッセージであり、
前記移動端末が次のマルチキャストサービスマッピング情報要素を取得するステップは、移動端末が、ダウンリンクリソース割当メッセージに対して解析を行って、一つの情報要素に対応するダウンリンクチャネル間隔識別コードが１５であり、且つ当該情報要素の対応する拡張されたダウンリンクチャネル間隔識別子コードの値が０ｘ００であることを解析して得た場合、当該情報要素が前記次のマルチキャストサービスマッピング情報要素であると決定し、且つ当該決定された情報要素中の情報要素長さパラメーターに基づいて当該次のマルチキャストサービスマッピング情報要素を取得することを含む、
ことを特徴とする請求項４に記載の方法。
【請求項６】
前記ステップＡにおいて、一種のマルチキャストサービスに対応する任意の一つのマルチキャストサービスマッピング情報要素に、シンボルオフセットパラメーターと情報要素長さパラメーターを設定することをさらに含み、ここで、シンボルオフセットパラメーターは当該マルチキャストサービスに対応する次のマルチキャストサービスマッピング情報要素がその所在フレーム内でフレームヘッダに対するシンボルオフセットを指示し、情報要素長さパラメーターは当該マルチキャストサービスに対応する次のマルチキャストサービスマッピング情報要素の実際的な長さを指示し、
ステップＢにおいて、前記基地局がマルチキャストサービスマッピング情報要素を移動端末に送信するステップは、基地局がシンボルオフセットパラメーターの値と情報要素長さパラメーターの値とをマルチキャストサービスマッピング情報要素に付けて移動端末に送信することを更に含み、
前記ステップＣにおいて、移動端末が受信されたマルチキャストサービスマッピング情報要素中のシンボルオフセットパラメーターの値と情報要素長さパラメーターの値とを取得することを更に含み、
ステップＤにおいて、前記移動端末が次のマルチキャストサービスマッピング情報要素を受信するステップは、移動端末が取得されたシンボルオフセットパラメーターの値と情報要素長さパラメーターの値とに基づいて前記次のマルチキャストサービスマッピング情報要素を受信して取得することを含む、
ことを特徴とする請求項２に記載の方法。
【請求項７】
前記ステップＣにおいて、移動端末が受信されたマルチキャストサービスマッピング情報要素中でマルチキャストサービスデータ長さを指示するパラメーターの値を取得し、取得した情報要素長さパラメーターの対応する時間の長さと、当該マルチキャストサービスデータ長さを指示するパラメーターの値の対応する時間の長さとに基づいてモニター時間の長さを設定することを更に含み、
ステップＤにおいて、移動端末は設定されたモニター時間の長さ内で前記次のマルチキャストサービスマッピング情報要素とマルチキャストサービスデータとを受信する、
ことを特徴とする請求項６に記載の方法。
【請求項８】
前記ステップＡにおいて、一種のマルチキャストサービスに対応する任意の一つのマルチキャストサービスマッピング情報要素に、マルチキャストサービスマッピング情報要素のみに基づいてマルチキャストサービスリソースを取得することを移動端末に指示するパラメーターを設定することを更に含み、
ステップＣ及びステップＤにおいて、前記移動端末がマルチキャストサービスマッピング情報要素に基づいてマルチキャストサービスデータを受信するステップは、移動端末はマルチキャストサービスマッピング情報要素中で、マルチキャストサービスマッピング情報要素のみに基づいてマルチキャストサービスリソースを取得することを移動端末に指示するパラメーターに基づいて、マルチキャストサービスマッピング情報要素からマルチキャストサービスデータのシンボルオフセット位置と、サブチャネルオフセット位置と、占用したＯＦＤＭＡシンボル数と、占用したサブチャネルの本数とを解析して得て、マルチキャストサービスデータを受信することを含む、
ことを特徴とする請求項１〜７のいずれか１項に記載の方法。
【請求項９】
前記マルチキャストサービスマッピング情報要素のみに基づいてマルチキャストサービスリソースを取得することを移動端末に指示するパラメーターを設定するステップは、
マルチキャストサービスマッピング情報要素中で後続するマルチキャストサービスマッピングメッセージのフレーム位置を指示する必要があるように定義された元のパラメーターを、改めて次のマルチキャストサービスマッピング情報要素受信位置を指示する必要があるように定義することを含み、
または、マルチキャストサービスマッピング情報要素に一つの自己定義のパラメーターを増加し、当該自己定義のパラメーターは次のマルチキャストサービスマッピング情報要素の受信位置を指示する必要があるように定義されることを含む、
ことを特徴とする請求項８に記載の方法。
【請求項１０】
前記ステップＡにおいて、一種のマルチキャストサービスに対応する任意の一つのマルチキャストサービスマッピング情報要素中で、後続するマルチキャストサービスマッピングメッセージのフレーム位置とシンボル位置とを指示するパラメーターを削除することを更に含む、
ことを特徴とする請求項１に記載の方法。
【請求項１１】
ステップＣにおいて、前記それ自身のスリープ時間の長さを設定することは、移動端末がそれ自身の、データを受信する必要がないスリープウィンドウの長さ期限を設定することを含み、
ステップＤにおける前記スリープ時間の長さを過ぎた後は、スリープウィンドウの期限が終わった後を含む、
ことを特徴とする請求項１に記載の方法。
【手続補正２】
【補正対象書類名】明細書
【補正対象項目名】００１３
【補正方法】変更
【補正の内容】
【００１３】
前記マルチキャストサービスマッピング情報要素がダウンリンクメッセージに付けられて移動端末に送信され、前記ダウンリンクメッセージがダウンリンクリソース割当メッセージ又は自己定義のメッセージである。
ステップＤにおいて、前記移動端末が次のマルチキャストサービスマッピング情報要素を受信するステップは、移動端末が前記次のマルチキャストサービスマッピング情報要素が付けられているダウンリンクメッセージを受信し、ダウンリンクメッセージに付けられている、情報要素タイプと情報要素長さを指示するパラメーターに基づいて当該ダウンリンクメッセージから前記次のマルチキャストサービスマッピング情報要素を取得することを含む。
【手続補正３】
【補正対象書類名】明細書
【補正対象項目名】００１７
【補正方法】変更
【補正の内容】
【００１７】
前記ステップＡにおいて、一種のマルチキャストサービスに対応する任意の一つのマルチキャストサービスマッピング情報要素に、マルチキャストサービスマッピング情報要素のみに基づいてマルチキャストサービスリソースを取得することを移動端末に指示するパラメーターを設定することを更に含み、
ステップＣ及びステップＤにおいて、前記移動端末がマルチキャストサービスマッピング情報要素に基づいてマルチキャストサービスデータを受信するステップは、移動端末はマルチキャストサービスマッピング情報要素中で、マルチキャストサービスマッピング情報要素のみに基づいてマルチキャストサービスリソースを取得することを移動端末に指示するパラメーターに基づいて、マルチキャストサービスマッピング情報要素からマルチキャストサービスデータのシンボルオフセット位置と、サブチャネルオフセット位置と、占用したＯＦＤＭＡシンボル数と、占用したサブチャネルの本数とを解析して得て、マルチキャストサービスデータを受信することを含む。
【手続補正４】
【補正対象書類名】明細書
【補正対象項目名】００１８
【補正方法】変更
【補正の内容】
【００１８】
前記マルチキャストサービスマッピング情報要素のみに基づいてマルチキャストサービスリソースを取得することを移動端末に指示するパラメーターを設定するステップは、
マルチキャストサービスマッピング情報要素中で後続するマルチキャストサービスマッピングメッセージのフレーム位置を指示する必要があるように定義された元のパラメーターを、改めて次のマルチキャストサービスマッピング情報要素受信位置を指示する必要があるように定義することを含み、
または、マルチキャストサービスマッピング情報要素に一つの自己定義のパラメーターを増加し、当該自己定義のパラメーターは次のマルチキャストサービスマッピング情報要素の受信位置を指示する必要があるように定義されることを含む。
【国際調査報告】
2008541582.tif 000014
2008541582.tif 000015
2008541582.tif 000016
2008541582.tif 000017